(57)【特許請求の範囲】
【請求項１】
ＩＳＤＮ回線のインタフェースＬＩ点で接続する第１のＬＩ点接続手段と、ＤＳＵとのインタフェースＬＩ点で接続する第２のＬＩ接続手段と、端末装置と接続して通信する端末接続手段と、前記第１のＬＩ点接続手段と前記第２のＬＩ点接続手段と前記端末接続手段との任意の間でフレームを交換する交換手段とを備えた端末網制御装置。
【請求項２】
交換手段は、第１のＬＩ点接続手段と第２のＬＩ点接続手段とを接続または切り離しする接続切り離し手段と、前記第１のＬＩ点接続手段のインピーダンスを前記接続切り離し手段によって前記第２のＬＩ点接続手段を切り離したときにも切り離していないときと同等に整合するインピーダンス整合手段と、ＩＳＤＮ回線の回線電圧を検出して通信中であることを検出する通信中検出手段と、ＩＳＤＮ回線の極性反転を検出する極性反転検出手段と、前記通信中検出手段や極性反転検出手段からの信号とＩＳＤＮ回線より受信した呼設定情報データの宛先アドレスにより前記接続切り離し手段を制御し前記第１のＬＩ点接続手段と前記第２のＬＩ点接続手段との接続または切り離しをさせる通信制御手段とを備えた請求項１記載の端末網制御装置。
【請求項３】
交換手段は、第１のＬＩ点接続手段を介して受信するフレームの内Ｄチャネルに関する第１の情報を抽出すると共に他のチャネルについては第２のＬＩ点接続手段へ転送する第１のチャネル受信転送手段と、前記第２のＬＩ点接続手段を介して受信するフレームの内Ｄチャネルに関する第２の情報を抽出すると共に他のチャネルについては前記第１のＬＩ点接続手段へ転送する第２のチャネル受信転送手段と、前記第１の情報が所定の情報の時には端末接続手段へ前記第１の情報が所定の情報でない時には前記第２のＬＩ点接続手段に情報を通知する第１のＤチャネル受信手段と、前記端末接続手段から送信要求される第３の情報と前記第２の情報を第１のＬＩ点接続手段を介してＤチャネルの情報として送信する第１のＤチャネル送信手段とを備えた請求項１記載の端末網制御装置。
【請求項４】
交換手段は、第１のＬＩ点接続手段を介して受信するフレームの内Ｄチャネルに関する第１の情報を抽出すると共に他のチャネルについては第２のＬＩ点接続手段へ転送する第１のチャネル受信転送手段と、前記第２のＬＩ点接続手段を介して受信するフレームの内Ｄチャネルに関する第２の情報を抽出すると共に他のチャネルについては前記第１のＬＩ点接続手段へ転送する第２のチャネル受信転送手段と、前記第２の情報が所定の情報の時には端末接続手段へ前記第２の情報が所定の情報でない時には前記第１のＬＩ点接続手段に情報を通知する第２のＤチャネル送信手段と、前記端末接続手段から送信要求される第３の情報と前記第１の情報を第２のＬＩ点接続手段を介してＤチャネルの情報として通知する第２のＤチャネル受信手段とを備えた請求項１記載の端末網制御装置。
【発明の詳細な説明】
【０００１】
【発明の属する技術分野】
本発明は、メータセンサや設備機器をＩＳＤＮ回線を介して遠隔管理装置と接続して通信するための端末網制御装置に関するものである。
【０００２】
【従来の技術】
電話網を利用した遠隔管理装置からのエネルギー供給管理装置（例えば、ガスメータ、水道メータ、電力メータ）の自動検針、遠隔管理装置へのガス漏れ等の通報、設備機器の故障通報や遠隔診断などを行うシステムが普及しつつある。
【０００３】
さらに、ＩＳＤＮ電話回線が普及し始めており、パソコン通信やインターネットへアクセスするために一般家庭への導入も盛んになってきている。その一般的なシステム構成は、図１０に示すようにＩＳＤＮ公衆網から保安器１を介して宅内へ引き込まれた２線メタルケーブルにディジタル回線終端装置（以後ＤＳＵと呼ぶ）２を接続して２線−４線変換等の伝送路終端を行って、この４線にはＩＳＤＮ用のディジタル電話機３を接続したり、ターミナル・アダプタ（以後ＴＡと呼ぶ）４を接続してプロトコル変換を行い、ＲＳ−２３２Ｃケーブル等を用いてパソコン等の端末機器５へ接続する。ＮＴＴ（日本電信電話株式会社）では、保安器１からＤＳＵ２までのインタフェースを参照点ＬＩ、ＤＳＵ２から電話機３やＴＡ４までのインタフェースを参照点Ｓ／Ｔ、ＴＡ４からパソコン等の端末機器５までのインタフェースを参照点Ｒと称している。なお、Ｓ／Ｔ点はＴＴＣ標準ＪＴ−Ｉ４１１で定義されているＩＳＤＮユーザ・網インタフェース点であり、Ｒ点はＩＴＵ−Ｔ勧告Ｖ、Ｘシリーズ等で定義されている既存のユーザ・網インタフェース点である。
【０００４】
ＩＳＤＮ回線では、Ｄチャンネルと呼ばれる毎秒１６ｋビットの信号チャンネルを有し、通信の開始、停止の制御や情報の送受を行なう。Ｓ／Ｔ点には複数の端末をバス接続することが可能で、接続された端末同士が順序よくＤチャネルにアクセスし、また２つあるいはそれ以上の端末が同時にＤチャネルにアクセスを試みても、ただ一つの端末が常に情報伝送を正常に行うことを保証したＤチャネルアクセス手順を取っている。しかしながら、ＬＩ点においては１台のＤＳＵのみを接続する構成となっている。
【０００５】
ＩＳＤＮ公衆網を介した遠隔管理装置とエネルギー供給管理装置との通信に関しての一例として、特開平５−７２５９号公報によって自動検針システムが示されている。そのシステム構成は図１１に示すようなもので、同図において６は遠隔管理装置で自動検針システムにおいてはセンター装置とも呼ばれ、ガス会社や警備会社等に設置して各需要家宅とＩＳＤＮ公衆網を介して接続されている。７は端末網制御装置で、Ｓ／Ｔ点に接続してエネルギー供給管理装置としてのガスメータ８と遠隔管理装置６との通信の中継を行い、回線の接続や切断を制御する。
【０００６】
以下に、ＩＳＤＮ回線を用いた自動検針システムにおいて遠隔管理装置がガスメータの検針値データを得るまでの手順を図１１および図１２により示す。
【０００７】
（１）遠隔管理装置６は、検針を行う需要家宅の電話番号を含んだ呼設定要求によって需要家宅と接続を行う。このとき、需要家宅の電話機３を起動しないために、電話番号としてガスメータ独自のサブアドレスを付与する（例えば、需要家宅の電話番号９−８７６５にサブアドレス１２３をつける）。
【０００８】
（２）ＩＳＤＮ公衆網にＬＩ点によって接続されたＤＳＵ２は、ＬＩ点での回線極性の反転（ＳＩＧ３）に続く所定の起動信号（ＳＩＧ４）を受信することによって起動を行い、起動了解信号（ＳＩＧ２）をＬＩ点へ送出する。ここで、起動信号（ＳＩＧ４）は受信同期を取るための同期確立信号である。
【０００９】
（３）公衆網の交換機では起動了解信号（ＳＩＧ２）を受信すると、ラインシステム起動表示信号（ＳＩＧ６）をＤＳＵ２へ送信する。
【００１０】
（４）ＤＳＵ２は、ＬＩ点よりラインシステム起動表示信号（ＳＩＧ６）を受信すると、所定の端末起動信号（ＩＮＦＯ２）をＳ／Ｔ点へ送出する。
【００１１】
（５）Ｓ／Ｔ点に接続された端末網制御装置７は、端末起動信号（ＩＮＦＯ２）をＳ／Ｔ点より受信して起動を行い、端末起動完了信号（ＩＮＦＯ３）をＳ／Ｔ点へ送出する。
【００１２】
（６）ＤＳＵ２がＳ／Ｔ点より端末起動完了信号（ＩＮＦＯ３）を受信してＩＮＦＯ３受信表示信号（ＳＩＧ８）をＬＩ点に送出し、公衆網の交換機がそれを認識することで端末網制御装置７が公衆網と接続される。
【００１３】
（７）端末網制御装置７は、公衆網およびＤＳＵ２を介して受信した呼設定情報データが自端末のサブアドレスを付与されている場合のみ呼設定応答を返して遠隔管理装置６と端末網制御装置７との間の呼が確立される。
【００１４】
（８）遠隔管理装置６との接続後、端末網制御装置７は、遠隔管理装置６からの受信データをガスメータ８へ中継する。
【００１５】
（９）ガスメータ８は、受信データが検針要求であれば、検針値データを送信する。
【００１６】
（１０）端末網制御装置７は、ガスメータ８からの検針値データをＳ／Ｔ点へ送信する。
【００１７】
（１１）ＤＳＵ２は、端末網制御装置７からのデータをＩＳＤＮ公衆回線を介して遠隔管理装置６へ送出する。
【００１８】
また、特願平８−１３１５３０号のように保安器とＤＳＵの間のＬＩ点にＤＳＵと並列に接続してＩＳＤＮ回線と端末装置の通信を中継する端末網制御装置が考案されている。この装置によれば、遠隔管理装置と各需要家宅のＬＩ点に接続された端末装置とがＤＳＵ以降の端末が通信していないときに限って通信することができる。
【００１９】
【発明が解決しようとする課題】
以上のような従来の方式には次のような課題がある。
【００２０】
（１）ＴＡのようにＤＳＵと端末機器の間に接続する形態の機器は、ＤＳＵの設置位置によってその機器の設置位置が左右されやすい。
【００２１】
（２）保安器とＤＳＵの間（ＬＩ点）に機器を取り付ける場合、ＤＳＵ以降の端末にとってＬＩ点に接続した機器とのＤチャンネル通信の衝突が認識できない。
【００２２】
（３）さらに、ＤＳＵはＬＩ点に接続した機器の通信状況に関わらずＤＳＵ以降の端末のＤチャネル信号を送信しようとする。
【００２３】
（４）ＤＳＵ以降の端末とＬＩ点に接続した機器とは直接に通信を行うことはできない。
【００３０】
【課題を解決するための手段】
本発明は、前記課題を解決するために、ＩＳＤＮ回線のインタフェースＬＩ点で接続する第１のＬＩ点接続手段と、ＤＳＵとのインタフェースＬＩ点で接続する第２のＬＩ接続手段と、端末装置と接続して通信する端末接続手段と、前記第１のＬＩ点接続手段と前記第２のＬＩ点接続手段と前記端末接続手段との任意の間でフレームを交換する交換手段とを備えたものである。
【００３１】
上記発明によれば、端末網制御装置を保安器とＤＳＵとの間に接続して第１のＬＩ点接続手段と端末接続手段を介してＩＳＤＮ回線と端末装置との通信ができ、第２のＬＩ点接続手段と端末接続手段を介してＤＳＵ側の端末と端末装置との通信ができる。
【００３２】
【発明の実施の形態】
本発明は、ＩＳＤＮ回線のインタフェースＬＩ点で接続する第１のＬＩ点接続手段と、ＤＳＵとのインタフェースＬＩ点で接続する第２のＬＩ接続手段と、端末装置と接続して通信する端末接続手段と、前記第１のＬＩ点接続手段と前記第２のＬＩ点接続手段と前記端末接続手段との任意の間でフレームを交換する交換手段とを備えたものである。そして、保安器とＤＳＵとの間に接続して第１のＬＩ点接続手段と端末接続手段を介してＩＳＤＮ回線と端末装置との通信ができる。
【００３３】
また、交換手段が、交換手段は、第１のＬＩ点接続手段と第２のＬＩ点接続手段とを接続または切り離しする接続切り離し手段と、前記第１のＬＩ点接続手段のインピーダンスを前記接続切り離し手段によって前記第２のＬＩ点接続手段を切り離したときにも切り離していないときと同等に整合するインピーダンス整合手段と、ＩＳＤＮ回線の回線電圧を検出して通信中であることを検出する通信中検出手段と、ＩＳＤＮ回線の極性反転を検出する極性反転検出手段と、前記通信中検出手段や極性反転検出手段からの信号とＩＳＤＮ回線より受信した呼設定情報データの宛先アドレスにより前記接続切り離し手段を制御し前記第１のＬＩ点接続手段と前記第２のＬＩ点接続手段との接続または切り離しをさせる通信制御手段とを備えたものである。そして、ＩＳＤＮ回線と端末装置が通信している間は接続切り離し手段によって第２のＬＩ接続手段をＩＳＤＮ回線から切り離すので、不要な通信データをＤＳＵへ流すことがない。
【００３４】
さらに、交換手段が、第１のＬＩ点接続手段を介して受信するフレームの内Ｄチャネルに関する第１の情報を抽出すると共に他のチャネルについては第２のＬＩ点接続手段へ転送する第１のチャネル受信転送手段と、前記第２のＬＩ点接続手段を介して受信するフレームの内Ｄチャネルに関する第２の情報を抽出すると共に他のチャネルについては前記第１のＬＩ点接続手段へ転送する第２のチャネル受信転送手段と、前記第１の情報が所定の情報の時には端末接続手段へ前記第１の情報が所定の情報でない時には前記第２のＬＩ点接続手段に情報を通知する第１のＤチャネル受信手段と、前記端末接続手段から送信要求される第３の情報と前記第２の情報を第１のＬＩ点接続手段を介してＤチャネルの情報として送信する第１のＤチャネル送信手段とを備えたものである。そして、第１のＤチャネル受信手段が端末装置への情報を第２のＬＩ点接続手段へ転送しないので、ＩＳＤＮ回線からの受信データで端末装置へ転送するデータはＤＳＵ側へは流れず、ＤＳＵ側の端末を不要に起動させることがなく、第１のＤチャネル送信手段がＤＳＵからの送信データがないときのみ端末装置からの送信データを第１のＬＩ点接続手段へ転送するので、端末装置からの送信データはＤＳＵ側の端末の送信データと衝突せずにＩＳＤＮ回線へ送出することが可能である。
【００３５】
さらに、交換手段が、第１のＬＩ点接続手段を介して受信するフレームの内Ｄチャネルに関する第１の情報を抽出すると共に他のチャネルについては第２のＬＩ点接続手段へ転送する第１のチャネル受信転送手段と、前記第２のＬＩ点接続手段を介して受信するフレームの内Ｄチャネルに関する第２の情報を抽出すると共に他のチャネルについては前記第１のＬＩ点接続手段へ転送する第２のチャネル受信転送手段と、前記第２の情報が所定の情報の時には端末接続手段へ前記第２の情報が所定の情報でない時には前記第１のＬＩ点接続手段に情報を通知する第２のＤチャネル送信手段と、前記端末接続手段から送信要求される第３の情報と前記第１の情報を第２のＬＩ点接続手段を介してＤチャネルの情報として通知する第２のＤチャネル受信手段とを備えたものである。そして、第２のＤチャネル受信手段がＩＳＤＮ回線からの受信データがないときのみ端末装置からの送信データを第２のＬＩ点接続手段へ転送するので、端末装置からの送信データはＩＳＤＮ回線からの受信データと衝突せずにＤＳＵへ送出することができ、第２のＤチャネル送信手段が所定の情報は第１のＬＩ点接続手段へ転送しないので、ＤＳＵからの送信データで端末装置へ転送するデータはＩＳＤＮ回線へは流れず、ＩＳＤＮ回線に不要なデータを送信することがない。
【００４２】
以下、本発明の実施例について図面を参照して説明する。
（実施例１）
図１は本発明の実施例１の端末網制御装置のブロック図である。図において、９は第１のＬＩ接続手段で、ＩＳＤＮ回線のＬＩ点と接続している。１０は第２のＬＩ点接続手段で、ＤＳＵ２と接続している。１１は端末接続手段で、端末装置の一例であるガスメータ８と接続している。１２は交換手段で、第１のＬＩ点接続手段９と第２のＬＩ点接続手段１０と端末接続手段１１との任意の間でフレームを交換する。
【００４３】
上記構成において、ＩＳＤＮ回線からの信号は第１のＬＩ点接続手段９によって端末網制御装置７に受信される。交換手段１２は、第１のＬＩ点接続手段９で受信した信号の中から宛先アドレスを読み出して第２のＬＩ点接続手段１０または端末接続手段１１へ転送する。同様にＤＳＵ２を介して受信する信号に対しても、第２のＬＩ点接続手段１０によって受信して、その信号の宛先アドレスによって第１のＬＩ点接続手段９を介してＩＳＤＮ回線に送出または端末接続手段１２を介してガスメータ８へ送出する。ガスメータ８から送出されて端末接続手段１２によって受信する信号も同様である。
【００４４】
上記の構成によって、ＩＳＤＮ回線とＤＳＵとの間に端末網制御装置を接続してガスメータとの通信をＩＳＤＮ回線またはＤＳＵ側の端末から行うことができる。
【００４５】
（実施例２）
図２は本発明の実施例２の端末網制御装置のブロック図である。図において、端末網制御装置の交換手段１２は、第１のＬＩ点接続手段９と第２のＬＩ点接続手段１０とを接続または切り離しする接続切り離し手段１３と、ＬＩ点のインピーダンスを通信時のインピーダンスに整合するインピーダンス整合手段１４と、ＩＳＤＮ回線の回線電圧を検出して通信中であることを検出する通信中検出手段１５と、ＩＳＤＮ回線の極性反転を検出する極性反転検出手段１６と、通信中検出手段１５や極性反転検出手段１６からの信号によって接続切り離し手段１３を制御し第１のＬＩ点接続手段９と第２のＬＩ点接続手段１０と端末接続手段１１との間でフレームの受け渡しを行う通信制御手段１７とで構成されている。
【００４６】
上記の構成において、以下に図２を参照して動作を説明する。
（１）ＩＳＤＮ回線より第１のＬＩ点接続手段９を介して極性反転（ＳＩＧ３）を受信すると極性反転検出手段１６がそれを検出して通信制御手段１７へ通知する。
【００４７】
（２）同時に接続切り離し手段１３および第２のＬＩ点接続手段１０を介してＤＳＵ２へ極性反転（ＳＩＧ３）が送られると、ＤＳＵ２は、第２のＬＩ点接続手段１０、接続切り離し手段、第１のＬＩ点接続手段９を介してＩＳＤＮ回線へ起動了解信号（ＳＩＧ２）を送出する。
【００４８】
（３）ＩＳＤＮ回線から第１のＬＩ点接続手段９を介してラインシステム起動表示信号（ＳＩＧ６）が受信されると、この信号は接続切り離し手段１３を介してＤＳＵ２へ転送される。
【００４９】
（４）ＤＳＵ２では、ＩＳＤＮ回線からのラインシステム起動表示信号（ＳＩＧ６）の後、従来例と同様にＤＳＵ２ではＳ／Ｔ点にＩＮＦＯ３信号が受信されると、ＩＮＦＯ３受信表示信号（ＳＩＧ８）をＩＳＤＮ回線へ送出する。
【００５０】
（５）ＩＳＤＮ回線は、ＩＮＦＯ３受信表示信号（ＳＩＧ８）を受信すると宛先アドレスを含んだ呼設定情報データを送出する。
【００５１】
（６）通信制御手段１７は、第１のＬＩ点接続手段９を介して呼設定情報データを受信すると、その宛先アドレスを読み出しガスメータへの通信である場合は、通信中検出手段１５によってＤＳＵ２以降の端末が通信中でないことを確認した後、インピーダンス整合手段１４へ通信用インピーダンス整合を要求して、接続切り離し手段１３に第２のＬＩ点接続手段１０の切り離しを要求し、端末接続手段１１を介して受信したＤチャネルデータのＵＵＩ情報要素をガスメータ８へ転送する。
【００５２】
なお、端末網制御装置よりガスメータへ転送するデータをＵＵＩ情報要素としたが、サブアドレスに含まれる情報やＤチャネルパケットそのものを転送してもよい。上記の手順により、インピーダンス整合手段１４が通信用インピーダンスに整合を行うことによって、第２のＬＩ点接続手段１０を切り離してＤＳＵ２が接続されていなくてもインピーダンス整合がとれた状態で、ＩＳＤＮ回線を用いてガスメータ８の通信を行うことができる。
【００５３】
（実施例３）
図３は本発明の実施例３の端末網制御装置のブロック図である。図において、端末網制御装置の交換手段１２は、第１のＬＩ点接続手段９を介して受信するフレームの内Ｄチャネルデータを第１の情報として抽出すると共に他のチャネルについては第２のＬＩ点接続手段１０へ転送する第１のチャネル受信転送手段１８と、第２のＬＩ点接続手段１０を介して受信するフレームの内Ｄチャネルデータを第２の情報として抽出すると共に他のチャネルについては第１のＬＩ点接続手段９へ転送する第２のチャネル受信転送手段１９と、第１の情報にガスメータ宛の宛先アドレスが含まれる時には端末接続手段１１へ通知し、そうでない時には第２のＬＩ点接続手段１０に情報を通知する第１のＤチャネル受信手段２０と、端末接続手段１１から送信要求される第３の情報または第２の情報を第１のＬＩ点接続手段９を介してＤチャネル送信データとして送信する第１のＤチャネル送信手段２１とを備えた構成としている。
【００５４】
上記の構成において、以下に図３を参照して動作を説明する。
（１）第１のチャネル受信転送手段１８は、ＩＳＤＮ回線より第１のＬＩ点接続手段９を介して受信するフレームの内Ｄチャネル受信データを抽出し、他のチャネルは第２のＬＩ点接続手段１０へ転送する。この時、第２のＬＩ点接続手段１０へ転送するＤチャネルの内容は無信号とする。
【００５５】
（２）第１のＤチャネル受信手段２０は、第１のチャネル受信転送手段１８からのＤチャネル受信データに含まれる宛先アドレスがガスメータ８宛である場合は、このＤチャネルデータのＵＵＩ情報要素を端末接続手段１１を介してガスメータ８へ転送する。Ｄチャネル受信データに含まれる宛先アドレスがガスメータ８宛でない場合は、第１のチャネル受信転送手段１８が第２のＬＩ点接続手段１０へ転送するフレームのＤチャネルへ返す。
【００５６】
（３）ガスメータ８は、端末接続手段１１より受信したデータを解析し、検針要求である場合は、検針値を送信する。
【００５７】
（４）第１のＤチャネル送信手段２１は、端末接続手段１１を介してガスメータ８よりデータを受信すると、このデータをＵＵＩ情報要素とするＤチャネルパケットを生成し、第２のチャネル受信転送手段１９から抽出したＤチャネルデータが無信号である場合に、第２のチャネル受信転送手段１９より第１のＬＩ点接続手段９へ転送するフレームのＤチャネルとして挿入する。
【００５８】
（５）第１のＬＩ点接続手段９は、第２のチャネル受信転送手段１９からのフレームデータをＩＳＤＮ回線へ送出する。
【００５９】
なお、実施例２と同様に端末網制御装置よりガスメータへ転送するデータは、サブアドレスに含まれる情報やＤチャネルパケットそのものを転送してもよい。
【００６０】
上記の手順により、ＩＳＤＮ回線からの受信データでガスメータへ転送するデータはＤＳＵ側へは流れず、ＤＳＵ側の端末を不要に起動させることがなく、ガスメータからの送信データはＤＳＵ側の端末が送信データを送出していないときにＩＳＤＮ回線へ送出することが可能である。
【００６１】
（実施例４）
図４は本発明の実施例４の端末網制御装置のブロック図である。図において、端末網制御装置の交換手段１２は、第１のＬＩ点接続手段９を介して受信するフレームの内Ｄチャネルデータを第１の情報として抽出すると共に他のチャネルについては第２のＬＩ点接続手段１０へ転送する第１のチャネル受信転送手段１８と、第２のＬＩ点接続手段１８を介して受信するフレームの内Ｄチャネルデータを第２の情報として抽出すると共に他のチャネルについては第１のＬＩ点接続手段９へ転送する第２のチャネル受信転送手段１９と、第２の情報が所定の情報の時には端末接続手段１１へ第２の情報が所定の情報でない時には第１のＬＩ点接続手段９に情報を通知する第２のＤチャネル送信手段２２と、端末接続手段１１から送信された第３の情報と第１の情報を第２のＬＩ点接続手段１０を介してＤチャネルデータとして通知する第２のＤチャネル受信手段２３とを備えた構成としている。
【００６２】
上記の構成において、以下に図４を参照して動作を説明する。
（１）第１のチャネル受信転送手段１８は、ＩＳＤＮ回線より第１のＬＩ点接続手段９を介して受信するフレームの内Ｄチャネル受信データを抽出し、同時に全てのフレームを第２のＬＩ点接続手段１０へ転送する。
【００６３】
（２）第２のＤチャネル受信手段２３は、端末接続手段１１を介してガスメータ８よりデータを受信すると、このデータをＵＵＩ情報要素とするＤチャネルパケットを生成し、第１のチャネル受信転送手段１８から抽出したＤチャネルデータが無信号である場合に、第１のチャネル受信転送手段１８より第２のＬＩ点接続手段１０へ転送するフレームのＤチャネルとして挿入する。
【００６４】
（３）第２のチャネル受信転送手段１９は、ＤＳＵ２より第２のＬＩ点接続手段１０を介して受信するフレームの内Ｄチャネル受信データを抽出し、他のチャネルは第１のＬＩ点接続手段９へ転送する。この時、第１のＬＩ点接続手段９へ転送するＤチャネルの内容は無信号とする。
【００６５】
（４）第２のＤチャネル送信手段２２は、第２のチャネル受信転送手段１９からのＤチャネル受信データに含まれる宛先アドレスがガスメータ８宛である場合は、このＤチャネルデータのＵＵＩ情報要素を端末接続手段１１を介してガスメータ８へ転送する。Ｄチャネル受信データに含まれる宛先アドレスがガスメータ８宛でない場合は、第２のチャネル受信転送手段１９が第１のＬＩ点接続手段９へ転送するフレームのＤチャネルへ返す。
【００６６】
なお、実施例２と同様に端末網制御装置よりガスメータへ転送するデータは、サブアドレスに含まれる情報やＤチャネルパケットそのものを転送してもよい。
【００６７】
上記の手順により、ガスメータからの送信データはＩＳＤＮ回線より受信データを受けていないときにＤＳＵへ送出することができ、ＤＳＵからの送信データでガスメータへ転送するデータはＩＳＤＮ回線へは流れず、ＩＳＤＮ回線へ不要なデータを送信することがなく、ＤＳＵ側の端末とガスメータとの通信を行うことが可能である。
【００６８】
（実施例５）
図５は本発明の実施例５の端末網制御装置のブロック図である。図において、２４はＳ／Ｔ点接続手段で、ＴＡ４をＳ／Ｔ点インタフェースで接続すると共に第１のＬＩ点接続手段９を介してＩＳＤＮ回線とＴＡ４を接続する。また、端末接続手段１１は、端末装置としてのガスメータ８を接続すると共にＳ／Ｔ点インタフェースに結合して通信する。２５は回線電源手段で、第１のＬＩ点接続手段９とＳ／Ｔ点接続手段２４と端末接続手段１１に対して交換機からＩＳＤＮ回線を介してＬＩ点に供給される電力を電源として供給する。
【００６９】
上記構成によって、端末網制御装置はＩＳＤＮ回線から電力供給されている限り動作するので、いつでもＩＳＤＮ回線を介してガスメータとの通信を行うことができる。
【００７０】
（実施例６）
図６は本発明の実施例６の端末網制御装置のブロック図である。実施例５との違いは、回線極性判定手段２６および回線接続切り換え手段２７を追加したことで、回線極性判定手段２６は、第１のＬＩ点接続手段９とＩＳＤＮ回線とのメタルケーブル２線による接続極性を判定し、回線接続切り換え手段２７は、メタルケーブル２線の接続を切り換える。
【００７１】
上記の構成において、端末網制御装置をＩＳＤＮ回線に配線する際の動作を図６を参照して以下に説明する。図において、回線極性判定手段２６は、端末網制御装置７にＩＳＤＮ回線の２線メタルケーブルを接続すると、その２線間の電圧極性を検出する。回線極性判定手段２６は、２線間の電圧極性が端末網制御装置７が通信可能な極性でないことを判定すると、接続切り換え要求信号を送出する。
【００７２】
回線接続切り換え手段２７は、接続切り換え要求信号を受信するとＩＳＤＮ回線と第１のＬＩ点接続手段９とを接続する２線をそれぞれ入れ換えて、第１のＬＩ点接続手段９がＩＳＤＮ回線と通信可能な極性で接続するように切り換える。回線極性判定手段２６の具体構成としては、２つの入力電圧を比較して結果を出力する電圧比較器が考えられる。また、回線接続切り換え手段２７の具体構成としては、入力電圧で接点を切り換える２回路のリレーが考えられる。
【００７３】
上記構成によって、ＩＳＤＮ回線と端末網制御装置との配線時に接続極性を考慮しなくても必ず通信ができる。
【００７４】
（実施例７）
図７は本発明の実施例７の端末網制御装置のブロック図である。実施例１との違いは、回線極性判定手段２６、回線接続切り換え手段２７、ＤＳＵ接続判定手段２８およびＤＳＵ接続切り換え手段２９を追加したことで、回線極性判定手段２６および回線接続切り換え手段２７は実施例６と同じ機能である。ＤＳＵ接続判定手段２８は、ＤＳＵ２とのメタルケーブル２線による接続極性を判定し、ＤＳＵ接続切り換え手段２９は、ＤＳＵ２とのメタルケーブル２線の接続を切り換える。
【００７５】
上記の構成において、端末網制御装置をＩＳＤＮ回線に配線する際の動作は実施例６で示した通りである。また、端末網制御装置をＤＳＵに配線する際の動作を図７を参照して以下に説明する。
【００７６】
まず、端末網制御装置７とＤＳＵ２とを２線メタルケーブルによって接続する。端末網制御装置７は、第２のＬＩ点接続手段１０よりＤＳＵ接続切り換え手段２９を介してＤＳＵ２に対して６０Ｖの電圧をかける。ＤＳＵ接続判定手段２８は、ＤＳＵ２の直流抵抗が８１２Ωになった場合、電圧極性が端末網制御装置７が通信可能な極性でないこと判定して、接続切り換え要求信号を送出する。
【００７７】
ＤＳＵ接続切り換え手段２９は、接続切り換え要求信号を受信するとＤＳＵ２と第２のＬＩ点接続手段１０とを接続する２線をそれぞれ入れ換えて、第２のＬＩ点接続手段１０がＤＳＵ２と通信可能な極性で接続するように切り換える。
ＤＳＵ２接続切り換え手段２９の具体構成としては、入力電圧で接点を切り換える２回路のリレーが考えられる。
【００７８】
上記構成によって、端末網制御装置を保安器とＤＳＵの間に接続するときに、保安器やＤＳＵとの接続極性を考慮しなくても必ず通信ができる。
【００７９】
（実施例８）
図８は本発明の実施例８の端末網制御装置のブロック図である。実施例５との違いは、端末接続手段１１を無線通信手段３０で構成している点で、無線通信手段３０によって端末装置であるガスメータ８と端末網制御装置７との通信は無線で行われる。
【００８０】
上記構成によって、端末網制御装置が屋内に設置されていても、屋外に設置されたガスメータとの接続のために家屋の壁に穴を開けたり、配線工事を行う必要がない。
【００８１】
（実施例９）
図９は本発明の実施例９の端末網制御装置の接続図である。端末網制御装置７の内部構成は実施例１と同じで、図１における第１のＬＩ点接続手段９からＬＩ点としてＩＳＤＮ回線へ延びる配線の接続をＬ１およびＬ２端子でネジ止めによって行う。第２のＬＩ点接続手段１０からＤＳＵ２へ延びる配線の接続をＤ１およびＤ２端子でネジ止めによって行う。端末接続手段１１から端末装置としてのガスメータ８へ延びる配線の接続をＭ１およびＭ２端子でネジ止めによって行う。また、図９のように端末網制御装置７は需要家宅の屋外に設置され、内部構成回路および端子部は防水された筐体に入れている。
【００８２】
上記構成によって、端末網制御装置を屋外に設置しても配線の切り離し等のいたずらを防止し、安全に運用することができる。
【００８３】
【発明の効果】
以上のように本発明の端末網制御装置によれば、次のような効果が得られる。
【００８４】
（１）保安器とＤＳＵの間（ＬＩ点）に接続できるため、屋内、屋外を問わずに設置位置を選択することができる。
【図面の簡単な説明】
【図１】本発明の実施例１における端末網制御装置のブロック構成図
【図２】本発明の実施例２における端末網制御装置のブロック構成図
【図３】本発明の実施例３における端末網制御装置のブロック構成図
【図４】本発明の実施例４における端末網制御装置のブロック構成図
【図５】本発明の実施例５における端末網制御装置のブロック構成図
【図６】本発明の実施例６における端末網制御装置のブロック構成図
【図７】本発明の実施例７における端末網制御装置のブロック構成図
【図８】本発明の実施例８における端末網制御装置のブロック構成図
【図９】本発明の実施例９における端末網制御装置のブロック構成図
【図１０】ＩＳＤＮ回線を用いた一般的な端末構成図
【図１１】従来のＩＳＤＮ回線を用いた自動検針システムの構成図
【図１２】同システムの信号の流れを示す図
【符号の説明】
１  保安器
２  ＤＳＵ（ディジタル回線終端装置）
４  ＴＡ（ターミナル・アダプタ）
６  遠隔管理装置
７  端末網制御装置
８  ガスメータ（端末装置）
９  第１のＬＩ点接続手段
１０  第２のＬＩ点接続手段
１１  端末接続手段
１２  交換手段
１３  接続切り離し手段
１４  インピーダンス整合手段
１５  通信中検出手段
１６  極性反転検出手段
１７  通信制御手段
１８  第１のチャネル受信転送手段
１９  第２のチャネル受信転送手段
２０  第１のＤチャネル受信手段
２１  第１のＤチャネル送信手段
２２  第２のＤチャネル送信手段
２３  第２のＤチャネル受信手段
２４  Ｓ／Ｔ点接続手段
２５  回線電源手段
２６  回線極性判定手段
２７  回線接続切り換え手段
２８  ＤＳＵ接続判定手段
２９  ＤＳＵ接続切り換え手段
３０  無線通信手段
【図１】
0003708244.tif 000002
【図２】
0003708244.tif 000003
【図３】
0003708244.tif 000004
【図４】
0003708244.tif 000005
【図５】
0003708244.tif 000006
【図６】
0003708244.tif 000007
【図７】
0003708244.tif 000008
【図８】
0003708244.tif 000009
【図９】
0003708244.tif 000010
【図１０】
0003708244.tif 000011
【図１１】
0003708244.tif 000012
【図１２】
0003708244.tif 000013